(57)【要約】【課題】  雨水がセーフティワイヤなどを伝わって下部固定金具から鉄塔側に流入することを、確実かつ簡易に防止する。【解決手段】  下部固定金具１０１に、セーフティワイヤ１０２を伝わってきた雨水Ｗを鉄塔１００側以外の方向に導く雨水制御部１を備える。【選択図】  図１
2012031696.tif 000002
【特許請求の範囲】
【請求項１】
鉄塔に下部固定金具が取り付けられ、上下方向に延びる線状体の下端部が前記下部固定金具で固定された状態において、雨水が前記線状体を伝わって前記下部固定金具から前記鉄塔に流入するのを防止する雨水流入防止構造であって、
前記下部固定金具に、前記線状体を伝わってきた雨水を前記鉄塔側以外の方向に導くガイド手段を備える、ことを特徴とする雨水流入防止構造。
【請求項２】
鉄塔に下部固定金具が取り付けられ、上下方向に延びる線状体の下端部が前記下部固定金具で固定された状態において、雨水が前記線状体を伝わって前記下部固定金具から前記鉄塔に流入するのを防止する雨水流入防止構造であって、
前記線状体の前記下部固定金具側に、前記線状体を伝わってきた雨水を前記鉄塔側以外の方向に導くガイド手段を備える、ことを特徴とする雨水流入防止構造。
【発明の詳細な説明】
【技術分野】
【０００１】
この発明は、雨水がセーフティワイヤ等を伝わって鉄塔側に流入することを防止する雨水流入防止構造に関する。
【背景技術】
【０００２】
雨水が鉄塔に付着することにより鉄塔が腐食しないよう、鉄塔の表面は溶融亜鉛めっき加工が施されているが、雨水が鉄塔の特定箇所に集中的に付着すると溶融亜鉛めっきの劣化が進行し、鉄塔が腐食する。図１１に示すように、鉄塔１００で作業を行う作業者が墜落することを防止するため、鉄塔１００にアルミ製のセーフティワイヤ（墜落防止装置）１０２が固定されている。そして、雨天の際には、雨水Ｗがセーフティワイヤ１０２を伝わって、下部固定金具１０１から鉄塔１００側に集中して滴下、流入する。このため、雨水Ｗが鉄塔１００の特定箇所（破線Ｗａ）に集中的に付着すると、その特定箇所に施された溶融亜鉛めっきが劣化し、鉄塔１００の特定箇所が腐食する。
【０００３】
このように、鉄塔側へ雨水が流入することを防止するための技術として、受け部の底面上を開口部側に逃がし、更に舌部の先端から風等を利用して雨水を飛散させる浸食防止用器具が知られている（例えば、特許文献１参照。）。
【先行技術文献】
【特許文献】
【０００４】
【特許文献１】特開２００６−００９４４２号公報
【発明の概要】
【発明が解決しようとする課題】
【０００５】
ところで、上記溶融亜鉛めっきの皮膜は、雨水のｐＨ値を上昇させ、鉄塔の耐腐食性を高める効果を有しているが、アルミ製のセーフティワイヤを伝わる雨水は、ｐＨ値を下げる作用がある。このため、セーフティワイヤを伝わった雨水が鉄塔に付着すると、溶融亜鉛めっきの劣化が進行し、鉄塔が腐食してしまう。すなわち、雨水がセーフティワイヤを伝って鉄塔側に流入する場合は、鉄塔の腐食・発錆が高まってしまう。また、特許文献１の技術では、構造が複雑で、配設も容易ではない。
【０００６】
そこで本発明は、雨水がセーフティワイヤなどを伝わって下部固定金具から鉄塔側に流入することを、確実かつ簡易に防止することが可能な雨水流入防止構造を提供することを目的とする。
【課題を解決するための手段】
【０００７】
上記目的を達成するために請求項１に記載の発明は、鉄塔に下部固定金具が取り付けられ、上下方向に延びる線状体の下端部が前記下部固定金具で固定された状態において、雨水が前記線状体を伝わって前記下部固定金具から前記鉄塔に流入するのを防止する雨水流入防止構造であって、前記下部固定金具に、前記線状体を伝わってきた雨水を前記鉄塔側以外の方向に導くガイド手段を備える、ことを特徴とする雨水流入防止構造である。
【０００８】
この発明によれば、雨水が線状体を伝わって下部固定金具まで流れ、その後、雨水はガイド手段によって鉄塔側以外の方向に導かれる。
【０００９】
請求項２に記載の発明は、鉄塔に下部固定金具が取り付けられ、上下方向に延びる線状体の下端部が前記下部固定金具で固定された状態において、雨水が前記線状体を伝わって前記下部固定金具から前記鉄塔に流入するのを防止する雨水流入防止構造であって、前記線状体の前記下部固定金具側に、前記線状体を伝わってきた雨水を前記鉄塔側以外の方向に導くガイド手段を備える、ことを特徴とする雨水流入防止構造である。
【００１０】
この発明によれば、雨水が線状体を伝わって線状体の下部固定具側まで流れ、その後、雨水はガイド手段によって鉄塔側以外の方向に導かれる。
【発明の効果】
【００１１】
請求項１および２に記載の発明によれば、線状体を伝わってきた雨水が、ガイド手段によって鉄塔側以外の方向に導かれる。このため、雨水が鉄塔側に滴下・流入することによる、亜鉛めっきの減耗を防止、抑制し、鉄塔の腐食を防止、抑制することができる。この結果、鉄塔の維持管理に要する費用や労力を削減することが可能となる。また、下部固定金具や線状体にガイド手段を備えるだけであるため、構造が簡易で、費用や労力を低く抑えることが可能となる。
【図面の簡単な説明】
【００１２】
【図１】本発明の実施の形態１に係る雨水流入防止構造を示す正面図である。
【図２】図１の雨水流入防止構造における雨水制御部周辺の拡大正面図である。
【図３】本発明の実施の形態２に係る雨水流入防止構造を示す正面図である。
【図４】図３のＡ−Ａ断面図である。
【図５】図３の雨水流入防止構造において下部固定金具を逆向きにして鉄塔に設置した状態を示す正面図である。
【図６】本発明の実施の形態３に係る雨水流入防止構造における雨水制御金具を示す図であって、（ａ）は、雨水制御金具の正面図、（ｂ）は、雨水制御金具の側面図である。
【図７】図６の雨水制御金具の取り付け状態を示す図である。
【図８】本発明の実施の形態４に係る雨水流入防止構造を示す正面図である。
【図９】図８の雨水流入防止構造における雨水制御金具の正面図である。
【図１０】図１０の雨水制御金具の周辺を示す平面図である。
【図１１】従来の雨水の流れを示す正面図である。
【発明を実施するための形態】
【００１３】
次に、この発明の実施の形態について、図面を用いて詳しく説明する。
【００１４】
（実施の形態１）
図１および図２は、この実施の形態に係る雨水流入防止構造を示し、この雨水流入防止構造は、雨水Ｗが墜落防止装置のセーフティワイヤ（線状体）１０２を伝わって、鉄塔１００に滴下・流入することを防止するための構造である。ここで、セーフティワイヤ１０２は、ｐＨ値を下げる作用があるアルミ線を用いずに、ステンレス鋼製のより線で構成されている。また、鉄塔１００の主材１０３の下側には、墜落防止装置の下部固定金具１０１が固定され、セーフティワイヤ１０２の下部が、連結具１０４を介して、下部固定金具１０１の支持金具１０５に連結されている。
【００１５】
この雨水流入防止構造では、図２に示すように、下部固定金具１０１に雨水制御部（ガイド手段）１が形成されている。この雨水制御部１は、下部固定金具１０１の底部（下面部）１０１ａに一体的に設けられ、雨水Ｗを鉄塔１００側以外の方向に導くガイドである。具体的には、底部１０１ａの中央よりもセーフティワイヤ１０２寄りに形成され、第１の斜辺部１ｂと第２の斜辺部１ｃとから構成された三角形状で、その先端部１ａは、鉄塔１００の主材１０３よりも外側に位置している。つまり、後述するように、先端部１ａから滴下した雨水が、主材１０３に落下せずに、土台１１０上に落下するようになっている。
【００１６】
次に、実施の形態１における雨水流入防止構造の作用について説明する。
【００１７】
まず、雨天時において、セーフティワイヤ１０２に付着した雨水Ｗが、セーフティワイヤ１０２を伝わり、連結具１０４および支持金具１０５を伝って、下部固定金具１０１の底部１０１ａまで流入する。そして、雨水Ｗが雨水制御部１に達すると、雨水制御部１の斜辺部１ｂを伝って先端部１ａまで導かれ、先端部１ａに達した雨水Ｗは、土台１１０上（地表）に落下する。
【００１８】
以上のように、この雨水流入防止構造によれば、セーフティワイヤ１０２を伝わってきた雨水Ｗは、雨水制御部１によって鉄塔１００には落下せずに、土台１１０上に落下する。このため、雨水Ｗが鉄塔１００に滴下・流入することによる、亜鉛めっきの減耗を防止、抑制し、鉄塔１００の腐食を防止、抑制することができる。この結果、鉄塔１００の維持管理に要する費用や労力を削減することが可能となる。また、セーフティワイヤ１０２がステンレス鋼から構成されているため、アルミ製の場合と異なり雨水ＷのｐＨ値を低下させることがなく、鉄塔１００に施されている亜鉛めっきの減耗をより防止、抑制し、鉄塔１００の腐食をより防止、抑制することができる。
【００１９】
（実施の形態２）
図３ないし図５は、この実施の形態に係る雨水流入防止構造を示し、実施の形態１と同等の構成については、実施の形態１と同一の符号を付すことにより、その説明を省略する。後述する他の実施の形態も同様とする。
【００２０】
この雨水流入防止構造では、図３に示すように、雨水制御金具（ガイド手段）１０が、既成・既存の下部固定金具１０１に取り付けられている。この雨水制御金具１０は、雨水Ｗを鉄塔１００側以外の方向に導くガイドであり、図４に示すように、下部固定金具１０１に装着する受け金具１１と、受け金具１１の内側に装着するパッキン１２と、受け金具１１を下部固定金具１０１に固定する固定具１３とから構成されている。
【００２１】
受け金具１１は、縦断面がコ字型をしている金具であり、対向する第１の側面部１１ａ、第２の側面部１１ｂと、この側面部１１ａ、１１ｂを連結する底面部１１ｃとを有している。第１の側面部１１ａと第２の側面部１１ｂとは、略四角形で、鉄塔１００側の下角部が大きく面取り（斜めカット）され、雨水が底面部１１ｃを伝わって鉄塔１００側に流れないようになっている。また、底面部１１ｃの幅Ｗ１は、下部固定金具１０１の厚みＷ２よりも大きく、パッキン１２を下部固定金具１０１に密着させられるように、設定されている。
【００２２】
パッキン１２は、受け金具１１を下部固定金具１０１に装着した場合に、受け金具１１の内側と下部固定金具１０１との隙間を塞ぐものであり、下部固定金具１０１との密着性が高い材料、例えば、天然ゴムなどから構成され、第１のパッキン１２１と、第２のパッキン１２２と、第３のパッキン１２３とから構成されている。
【００２３】
第１、第２のパッキン１２１、１２２は、受け金具１１の側面部１１ａ、１１ｂとほぼ同形状の平板状で、第１のパッキン１２１は、第１の側面部１１ａと下部固定金具１０１との間、第２のパッキン１２２は、第２の側面部１１ｂと下部固定金具１０１との間に配置される。また、第１のパッキン１２１と第２のパッキン１２２とで挟持された状態で、受け金具１１の底面部１１ｃ側に配置され、その厚みは、下部固定金具１０１の厚みＷ２とほぼ同寸法に設定されている。
【００２４】
固定具１３は、ボルトとナットとから構成され、受け金具１１とパッキン１２とに形成された挿入孔（図示せず）にボルトを挿入し、ナットを締め付ける。これにより、雨水制御金具１０が下部固定金具１０１に取り付けられるとともに、パッキン１２が下部固定金具１０１と受け金具１１とに密着する。また、このようにして雨水制御金具１０を取り付ける際に、後述するようにして下部固定金具１０１に達した雨水が、受け金具１１の側面部１１ａ、１１ｂのセーフティワイヤ１０２側の側辺１０ａを伝わり、主材１０３に落下せずに、土台１１０上に落下するように配置する。
【００２５】
このような実施の形態によれば、図３に示すように、セーフティワイヤ１０２から伝わった雨水Ｗが、連結具１０４および支持金具１０５を介して下部固定金具１０１に達すると、雨水制御金具１０の側辺１０ａに沿って下方に流れ、土台１１０上に落下する。
【００２６】
以上のように、実施の形態１と同様に、この雨水流入防止構造によれば、セーフティワイヤ１０２を伝わってきた雨水Ｗが、雨水制御金具１０によって鉄塔１００には落下せずに、土台１１０上に落下する。このため、雨水Ｗが鉄塔１００に滴下・流入することによる、亜鉛めっきの減耗を防止、抑制し、鉄塔１００の腐食を防止、抑制することができる。この結果、鉄塔１００の維持管理に要する費用や労力を削減することが可能となる。
【００２７】
また、下部固定金具１０１に雨水制御金具１０を取り付けるだけであるため、構造が簡易で、費用や労力を低く抑えることが可能となる。しかも、既成の下部固定金具１０１を改造したり、既設の下部固定金具１０１を取り外したりすることなく、既存の下部固定金具１０１に雨水制御金具１０を取り付けることができ、構造に要する労力や費用を抑制することが可能となる。
【００２８】
ところで、下部固定金具１０１が図３とは逆さまに、図５に示すように底部１０１ａが上方に向いて取り付けられている場合があるが、このような場合であっても、容易かつ確実に雨水制御金具１０を取り付けることができる。このため、下部固定金具１０１を設置し直す必要がなく、取り付けに関する費用や労力を低く抑えることが可能となる。
【００２９】
（実施の形態３）
図６および図７は、この実施の形態に係る雨水流入防止構造を示し、この雨水流入防止構造では、雨水制御金具（ガイド手段）２０をセーフティワイヤ１０２の下部固定金具１０１側に備える。
【００３０】
雨水制御金具２０は、雨水Ｗを鉄塔１００側以外の方向に導くガイドであり、耐腐食性が高い、例えば、ステンレス鋼で構成されている。また、図６に示すように、薄くて屈曲自在な略Ｌ字状の板状体で、後述するボルト１０６、１０７を挿入する固定孔が長手方向の両端部に形成されている。
【００３１】
そして、図７に示すように、雨水制御金具２０の上部を連結具１０４のボルト１０６側に位置させ、連結具１０４の連結リング１０８内を通して、雨水制御金具２０の中央部を支持金具１０５の非下部固定金具１０１側に張り出し、下部を下部固定金具１０１の底部１０１ａ側に位置させる。この状態で、雨水制御金具２０の上端部の固定孔に連結具１０４のボルト１０６を挿入し、雨水制御金具２０の下端部の固定孔に支持金具１０５のボルト１０７を挿入して、それぞれのボルト１０６、１０７にナット１０９を締め付けることで、雨水制御金具２０を取り付ける。このようにして、雨水制御金具２０を取り付けた状態では、雨水制御金具２０の中央部が鉄塔１００の外側に張り出し、雨水制御金具２０上の雨水が主材１０３に落下せずに、土台１１０上に落下するようになっている。
【００３２】
このような実施の形態によれば、セーフティワイヤ１０２から伝わった雨水Ｗが、連結具１０４を介して雨水制御金具２０の上面に落下し、雨水制御金具２０に沿って下方に流れ、土台１１０上に落下する。
【００３３】
以上のように、実施の形態１および２と同様に、セーフティワイヤ１０２を伝わってきた雨水Ｗが、雨水制御金具２０によって鉄塔１００には落下せずに、土台１１０上に落下する。また、セーフティワイヤ１０２に雨水制御金具２０を取り付けるだけであり、しかも、既存のボルト１０６、１０７やナット１０９利用するため、構造が簡易で、費用や労力を低く抑えることが可能となる。
【００３４】
（実施の形態４）
図８ないし図１０は、この実施の形態に係る雨水流入防止構造を示し、この雨水流入防止構造では、雨水制御金具（ガイド手段）３０をセーフティワイヤ１０２の下部固定金具１０１側に備える。
【００３５】
雨水制御金具３０は、雨水Ｗを鉄塔１００側以外の方向に導くガイドであり、セーフティワイヤ１０２に装着する遮水金具３１と、遮水金具３１の内側とセーフティワイヤ１０２との間に配設するパッキン３２と、遮水金具３１とパッキン３２とを連結させる固定具３３とから構成されている。
【００３６】
遮水金具３１は、図１０に示すように、金属板を曲げ加工して形成された、略円筒状の円筒部３１ａと、この円筒部３１ａの両端から平行に延びる固定部３１ｃ、３１ｄとから構成されている。円筒部３１ａの内側が挿通部３１ｂとなり、この挿通部３１ｂの径は、セーフティワイヤ１０２とパッキン３２とを装着できるように設定されている。さらに、円筒部３１ａの非固定部３１ｃ、３１ｄには、蝶番（図示しない。）が設けられ、この蝶番を基点として、第１の固定部３１ｃ側と第２の固定部３１ｄ側とが離接自在となっている。
【００３７】
パッキン３２は、略長方形のシート状部材であって、例えば、天然ゴムなどから構成され、屈曲自在となっている。そして、一端側がセーフティワイヤ１０２に巻き付けられ、他端部が固定部３１ｃ、３１ｄの略中央部に達している。
【００３８】
固定具３３は、ボルトとナットとから構成され、遮水金具３１とパッキン３２とに形成された挿入孔（図示せず）にボルトを挿入し、ナットを締め付ける。これにより、雨水制御金具３０がセーフティワイヤ１０２に取り付けられるとともに、パッキン３２がセーフティワイヤ１０２と遮水金具３１とに密着する。このような取り付け状態において、パッキン３２の上縁が、遮水金具３１の上縁よりもやや下側に位置し、図９に示すように、遮水金具３１の上部に溝部３１ｅが形成されるように、挿入孔の位置が設定されている。さらに、図１０に示すように、固定部３１ｃ、３１ｄ（パッキン３２）が下部固定金具１０１の上方に位置しないように、雨水制御金具３０を取り付ける。
【００３９】
このような実施の形態によれば、セーフティワイヤ１０２から伝わった雨水Ｗが、雨水制御金具３０に達すると、図８に示すように、溝部３１ｅを伝ってパッキン３２の先端まで流れ、下部固定金具１０１には伝わらずに地表側へ落下する。
【００４０】
以上のように、セーフティワイヤ１０２を伝わってきた雨水Ｗが、下部固定金具１０１には伝わらずに地表側へ落下する。このため、雨水Ｗが下部固定金具１０１を伝わって鉄塔１００側に滴下・流入することによる、亜鉛めっきの減耗を防止、抑制し、鉄塔１００の腐食を防止、抑制することができる。また、セーフティワイヤ１０２に雨水制御金具３０を備えるだけであるため、構造が簡易で、費用や労力を低く抑えることが可能となる。
【００４１】
また、溝部３１ｅが形成されているため、この溝部３１ｅを介して、雨水Ｗを鉄塔１００側以外の方向に確実に流すことが可能となる。さらに、セーフティワイヤ１０２に雨水制御金具３０を直接設置するため、鉄塔１００だけでなく下部固定金具１０１にも雨水Ｗが付着せず、下部固定金具１０１の表面が雨水Ｗにより劣化することを防止することが可能となる。
【００４２】
以上、この発明の実施の形態を詳述してきたが、具体的な構成は上記の実施の形態に限られるものではなく、この発明の要旨を逸脱しない範囲の設計の変更等があっても、この発明に含まれる。例えば、実施の形態１における雨水制御部１は、下部固定金具１０１と一体となっているが、既設の下部固定金具１０１の底部１０１ａに、雨水制御部１を取り付けるようにしてもよい。また、実施の形態４における雨水制御金具３０を、セーフティワイヤ１０２に設置せずに、支持金具１０５に設置するようにしてもよい。
【符号の説明】
【００４３】
１                      雨水制御部（ガイド手段）
１０                    雨水制御金具（ガイド手段）
１１                    受け金具
１２                    パッキン
１３                    固定具
２０                    雨水制御金具（ガイド手段）
３０                    雨水制御金具（ガイド手段）
３１                    遮水金具
３２                    パッキン
３３                    固定具
１００                  鉄塔
１０１                  下部固定金具
１０２                  セーフティワイヤ（線状体）
Ｗ                      雨水
【図１】
2012031696.tif 000003
【図２】
2012031696.tif 000004
【図３】
2012031696.tif 000005
【図４】
2012031696.tif 000006
【図５】
2012031696.tif 000007
【図６】
2012031696.tif 000008
【図７】
2012031696.tif 000009
【図８】
2012031696.tif 000010
【図９】
2012031696.tif 000011
【図１０】
2012031696.tif 000012
【図１１】
2012031696.tif 000013